(57)【要約】    【課題】  全ズーム範囲及び全物体距離にわたり高い光学性能を有するズームレンズを得ること。    【解決手段】  物体側から像側へ順に、１以上のレンズ群を含む前群、正の屈折力のレンズ群Ｌｐ、負の屈折力のレンズ群Ｌｎを有し、ズーミングに際して隣り合うレンズ群の間隔が変化するズームレンズにおいて、広角端における前群の合成焦点距離は負であり、広角端から望遠端へのズーミングに際して、レンズ群Ｌｐは物体側に移動し、第１ズーム位置における無限遠から近距離へのフォーカシングに際して、レンズ群Ｌｎは像側へ移動し、第１ズーム位置よりも望遠側の第２ズーム位置における無限遠から近距離へのフォーカシングに際して、レンズ群Ｌｐは像側へ移動し、レンズ群Ｌｎは物体側へ移動すること。【選択図】    図１
2015197593.tif 000002
【特許請求の範囲】
【請求項１】
物体側から像側へ順に、１以上のレンズ群を含む前群、正の屈折力のレンズ群Ｌｐ、負の屈折力のレンズ群Ｌｎを有し、ズーミングに際して隣り合うレンズ群の間隔が変化するズームレンズにおいて、広角端における前記前群の合成焦点距離は負であり、広角端から望遠端へのズーミングに際して、前記レンズ群Ｌｐは物体側に移動し、
第１ズーム位置における無限遠から近距離へのフォーカシングに際して、前記レンズ群Ｌｎは像側へ移動し、
前記第１ズーム位置よりも望遠側の第２ズーム位置における無限遠から近距離へのフォーカシングに際して、前記レンズ群Ｌｐは像側へ移動し、前記レンズ群Ｌｎは物体側へ移動することを特徴とするズームレンズ。
【請求項２】
第１ズーム位置における無限遠から近距離のフォーカシングに際して、前記レンズ群Ｌｐは像側に移動することを特徴とする請求項１に記載のズームレンズ。
【請求項３】
前記レンズ群Ｌｐの焦点距離をｆＬｐ、前記レンズ群Ｌｎの焦点距離をｆＬｎとするとき、
０．３＜−ｆＬｐ／ｆＬｎ＜０．８
なる条件式を満たすことを特徴とする請求項１または２に記載のズームレンズ。
【請求項４】
前記レンズ群Ｌｐの広角端における横倍率をβｐｗ、前記レンズ群Ｌｎの広角端における横倍率をβｎｗとするとき、
−３．０＜βｐｗ＜−０．５
｜βｎｗ｜＞３．０
なる条件式を満たすことを特徴とする請求項１乃至３のいずれか１項に記載のズームレンズ。
【請求項５】
前記レンズ群Ｌｐの望遠端における横倍率をβｐｔ、前記レンズ群Ｌｎの望遠端における横倍率をβｎｔとするとき、
｜βｐｔ｜＞２．０
−３．０＜βｎｔ＜−０．２
なる条件式を満たすことを特徴とする請求項１乃至４のいずれか１項に記載のズームレンズ。
【請求項６】
第１ズーム位置における無限遠から近距離へのフォーカシングに際して、レンズ群Ｌｐは像側へ移動し、第１ズーム位置における前記レンズ群Ｌｐの無限遠から近距離へのフォーカシングに際しての移動量をＤＬｐｗ、第１ズーム位置における前記レンズ群Ｌｎの無限遠から近距離へのフォーカシングに際しての移動量をＤＬｎｗとし、移動量の符号は無限遠から近距離へのフォーカシングに際して物体側から像側へ移動するときを正とするとき、
０．０≦ＤＬｐｗ／ＤＬｎｗ＜１．２
なる条件式を満たすことを特徴とする請求項１乃至５のいずれか１項に記載のズームレンズ。
【請求項７】
第２ズーム位置における前記レンズ群Ｌｐの無限遠から近距離へのフォーカシングに際しての移動量をＤＬｐｔ、第２ズーム位置における前記レンズ群Ｌｎの無限遠から近距離へのフォーカシングに際しての移動量をＤＬｎｔとし、移動量の符号は無限遠から近距離へのフォーカシングに際して物体側から像側へ移動するときを正とするとき、
０．１＜−ＤＬｎｔ／ＤＬｐｔ＜１．０
なる条件式を満たすことを特徴とする請求項１乃至６のいずれか１項に記載のズームレンズ。
【請求項８】
前記レンズ群Ｌｎは２つ以下のレンズより構成されることを特徴とする、請求項１乃至７のいずれか１項に記載のズームレンズ。
【請求項９】
前記レンズ群Ｌｐは２つ以下のレンズより構成されることを特徴とする請求項１乃至８のいずれか１項に記載のズームレンズ。
【請求項１０】
物体側より像側へ順に、負の屈折力の第１レンズ群、正の屈折力の第２レンズ群、負の屈折力の第３レンズ群、正の屈折力の第４レンズ群から構成され、前記第２レンズ群が前記レンズ群Ｌｐであり、前記第３レンズ群が前記レンズ群Ｌｎであることを特徴とする請求項１乃至９のいずれか１項に記載のズームレンズ。
【請求項１１】
物体側より像側へ順に、正の屈折力の第１レンズ群、負の屈折力の第２レンズ群、正の屈折力の第３レンズ群、負の屈折力の第４レンズ群、正の屈折力の第５レンズ群から構成され、前記第３レンズ群が前記レンズ群Ｌｐであり、前記第４レンズ群が前記レンズ群Ｌｎであることを特徴とする請求項１乃至９のいずれか１項に記載のズームレンズ。
【請求項１２】
前記レンズ群Ｌｎより像側に１以上のレンズ群を含む後群を有し、前記レンズ群Ｌｐの焦点距離をｆＬｐ、前記レンズ群Ｌｎの焦点距離をｆＬｎ、広角端における前記前群の合成焦点距離をｆＦｗ、広角端における前記後群の合成焦点距離をｆＲｗ、広角端における全系の焦点距離をｆｗとするとき、
１．５０＜ｆＬｐ／ｆｗ＜４．００
２．５０＜−ｆＬｎ／ｆｗ＜１０．００
０．７０＜−ｆＦｗ／ｆｗ＜２．５０
１．５０＜ｆＲｗ／ｆｗ＜５．００
なる条件式を満たすことを特徴とする請求項１乃至１１のいずれか１項に記載のズームレンズ。
【請求項１３】
広角端における全系の焦点距離をｆｗ、望遠端における全系の焦点距離をｆｔ、前記第１ズーム位置における全系の焦点距離をｆａ１、前記第２ズーム位置における全系の焦点距離をｆａ２とするとき、
ｆａ１≦０．８×ｆｗ＋０．２×ｆｔ
ｆａ２＞０．２×ｆｗ＋０．８×ｆｔ
を満足することを特徴とする請求項１乃至１２のいずれか１項に記載のズームレンズ。
【請求項１４】
全ズーム範囲において前記前群の合成焦点距離は負であることを特徴する請求項１乃至１３のいずれか１項に記載のズームレンズ。
【請求項１５】
請求項１乃至１４のいずれか１項に記載のズームレンズを有することを特徴とする撮像装置。
【発明の詳細な説明】
【技術分野】
【０００１】
本発明は、ズームレンズ及びそれを有する撮像装置に関し、例えばデジタルスチルカメラ、デジタルビデオカメラ、ＴＶカメラ、監視カメラ等の撮像装置に用いられる撮像光学系に好適なものである。
【背景技術】
【０００２】
撮像装置に用いられる撮像光学系は、広画角でしかも無限遠から至近距離に至る全物体距離にわたり高い光学性能を有するズームレンズであることが要望されている。従来、フォーカシングに際しての収差変動が少なく、全物体距離にわたり高い光学性能を得るために、フォーカシングに際して２つ以上のレンズ群を移動するようにしたズームレンズが知られている。
【０００３】
このうちフォーカシングに際して移動するレンズ群の移動方向をズーム領域に応じて変化させることで全物体距離にわたり高い光学性能を得るようにしたズームレンズが知られている。例えばズーム領域に応じて物体側と像側へと逆方向に切り替えて移動するようにしたズームレンズが知られている（特許文献１，２）。
【０００４】
特許文献１の実施例１では物体側から像側へ順に、正、負、正、正、正、正の屈折力の第１レンズ群乃至第６レンズ群よりなり、ズーミングに際して第２、第４、第５レンズ群が移動する６群ズームレンズを開示している。そして無限遠から近距離のフォーカシングに際して第２レンズ群は広角端では像側へ移動し、中間位置から望遠端では物体側へ移動する。また第４レンズ群は広角端と中間位置では物体側へ移動し、望遠端では像側へ移動する。また第５レンズ群は全ズーム範囲にわたり物体側へ移動するようにしたズームレンズを開示している。
【０００５】
特許文献２の実施例２では、物体側から像側へ順に、正、負、正、正の屈折力の第１レンズ群乃至第４レンズ群よりなり、ズーミングに際して各レンズ群を移動する４群ズームレンズを開示している。そして無限遠から近距離へのフォーカシングに際して第２レンズ群は中間位置から望遠端にかけて物体側へ移動する。第３レンズ群は広角端では像側へ移動し、中間位置では物体側へ移動する。第４レンズ群は広角端では像側へ移動するようにしたズームレンズを開示している。
【先行技術文献】
【特許文献】
【０００６】
【特許文献１】特開２０１２−８３７２６号公報
【特許文献２】特開２００７−９３９７４号公報
【発明の概要】
【発明が解決しようとする課題】
【０００７】
近年、撮像装置に用いられるズームレンズには高速にフォーカシングができ、しかも無限遠から至近に至る全物体距離にわたり高い光学性能を有することが要望されている。このようなズームレンズを得るには、ズームタイプ及びフォーカシング用のレンズ群の数やそれらの移動条件等を適切に構成することが重要になってくる。フォーカス方式のうちフォーカシング用のレンズ群を全ズーム領域のうち特定のズーム領域において異なった方向に移動させるフォーカス方式は収差変動が少なく、全ズーム領域及び全物体距離にわたり高い光学性能を得るのが容易となる。
【０００８】
全ズーム領域及び全物体距離にわたり高い光学性能を得るには、ズームレンズを構成する複数のレンズ群のうちフォーカシングに際して移動させる複数のレンズ群の選択及び各ズーム領域における移動条件等を適切に設定することが重要になってくる。これらの構成が適切でないと収差変動を少なくして全ズーム領域及び全物体距離にわたり高い光学性能を得るのが困難になる。またフォーカシングを高速に行うのが困難になる。
【０００９】
本発明は全ズーム範囲及び全物体距離にわたり高い光学性能が容易に得られるズームレンズ及びそれを有する撮像装置を提供することを目的とする。
【課題を解決するための手段】
【００１０】
本発明のズームレンズは、物体側から像側へ順に、１以上のレンズ群を含む前群、正の屈折力のレンズ群Ｌｐ、負の屈折力のレンズ群Ｌｎを有し、ズーミングに際して隣り合うレンズ群の間隔が変化するズームレンズにおいて、広角端における前記前群の合成焦点距離は負であり、広角端から望遠端へのズーミングに際して、前記レンズ群Ｌｐは物体側に移動し、
第１ズーム位置における無限遠から近距離へのフォーカシングに際して、前記レンズ群Ｌｎは像側へ移動し、
前記第１ズーム位置よりも望遠側の第２ズーム位置における無限遠から近距離へのフォーカシングに際して、前記レンズ群Ｌｐは像側へ移動し、前記レンズ群Ｌｎは物体側へ移動することを特徴としている。
【発明の効果】
【００１１】
本発明によれば、全ズーム範囲及び全物体距離にわたり高い光学性能を有するズームレンズが得られる。
【図面の簡単な説明】
【００１２】
【図１】（Ａ）、（Ｂ）  本発明の実施例１のズームレンズの広角端と望遠端におけるレンズ断面図
【図２】（Ａ）、（Ｂ）  本発明における数値実施例１のズームレンズの広角端と望遠端における収差図（無限遠）
【図３】（Ａ）、（Ｂ）  本発明における数値実施例１のズームレンズの広角端と望遠端における収差図（物体距離０．２８ｍ）
【図４】（Ａ）、（Ｂ）  本発明の実施例２のズームレンズの広角端と望遠端におけるレンズ断面図
【図５】（Ａ）、（Ｂ）  本発明における数値実施例２のズームレンズの広角端と望遠端における収差図（無限遠）
【図６】（Ａ）、（Ｂ）  本発明における数値実施例２のズームレンズの広角端と望遠端における収差図（物体距離０．２８ｍ）
【図７】（Ａ）、（Ｂ）  本発明の実施例３のズームレンズの広角端と望遠端におけるレンズ断面図
【図８】（Ａ）、（Ｂ）  本発明における数値実施例３のズームレンズの広角端と望遠端における収差図（無限遠）
【図９】（Ａ）、（Ｂ）  本発明における数値実施例３のズームレンズの広角端と望遠端における収差図（物体距離０．２８ｍ）
【図１０】（Ａ）、（Ｂ）  本発明の実施例４のズームレンズの広角端と望遠端におけるレンズ断面図
【図１１】（Ａ）、（Ｂ）  本発明における数値実施例４のズームレンズの広角端と望遠端における収差図（無限遠）
【図１２】（Ａ）、（Ｂ）  本発明における数値実施例４のズームレンズの広角端と望遠端における収差図（物体距離０．２８ｍ）
【図１３】本発明の撮像装置の要部概略図
【発明を実施するための形態】
【００１３】
以下、本発明のズームレンズ及びそれを有する撮像装置の実施例について説明する。本発明のズームレンズは、物体側から像側へ順に、１以上のレンズ群を含む前群、正の屈折力のレンズ群Ｌｐ、負の屈折力のレンズ群Ｌｎを有し、ズーミングに際して隣り合うレンズ群の間隔が変化する。ここで前群とはレンズ群Ｌｐよりも物体側に位置する全てのレンズ群をいう。前群の合成焦点距離は広角端において負であり、広角端から望遠端へのズーミングに際し、前記レンズ群Ｌｐは物体側に移動する。
【００１４】
このとき、第１ズーム位置において無限遠から近距離へのフォーカシングに際してレンズ群Ｌｎは像側へ移動する。第１ズーム位置よりも望遠側の第２ズーム位置において無限遠から近距離へのフォーカシングに際してレンズ群Ｌｐは像側へ移動し、レンズ群Ｌｎは物体側へ移動する。
【００１５】
ここで、本発明のズームレンズで言うレンズ群とは、次のとおりである。光学系の最前面または、前方に隣接するレンズとの間隔がズーミングまたはフォーカシングで変化する面から、光学系の最後面または、後方に隣接するレンズとの間隔がズーミングまたはフォーカシングで変化する面までを言う。
【００１６】
図１（Ａ），（Ｂ）は本発明の実施例１の広角端と望遠端におけるレンズ断面図である。図２（Ａ），（Ｂ）は本発明の実施例１のズームレンズの無限遠にフォーカシングにしているときの広角端と望遠端における収差図である。図３（Ａ），（Ｂ）は本発明における実施例１のズームレンズの後述する数値実施例をｍｍ単位で表したときの物体距離０．２８ｍのときの広角端と望遠端における収差図である。ここで物体距離とは像面からの距離である。
【００１７】
図４（Ａ），（Ｂ）は本発明の実施例２の広角端と望遠端におけるレンズ断面図である。図５（Ａ），（Ｂ）は本発明の実施例２のズームレンズの無限遠にフォーカシングにしているときの広角端と望遠端における収差図である。図６（Ａ），（Ｂ）は本発明における実施例２のズームレンズの後述する数値実施例をｍｍ単位で表したときの物体距離０．２８ｍのときの広角端と望遠端における収差図である。
【００１８】
図７（Ａ），（Ｂ）は本発明の実施例３の広角端と望遠端におけるレンズ断面図である。図８（Ａ），（Ｂ）は本発明の実施例３のズームレンズの無限遠にフォーカシングにしているときの広角端と望遠端における収差図である。図９（Ａ），（Ｂ）は本発明における実施例３のズームレンズの後述する数値実施例をｍｍ単位で表したときの物体距離０．２８ｍのときの広角端と望遠端における収差図である。
【００１９】
図１０（Ａ），（Ｂ）は本発明の実施例４の広角端と望遠端におけるレンズ断面図である。図１１（Ａ），（Ｂ）は本発明の実施例４のズームレンズの無限遠にフォーカシングにしているときの広角端と望遠端における収差図である。図１２（Ａ），（Ｂ）は本発明における実施例４のズームレンズの後述する数値実施例をｍｍ単位で表したときの物体距離０．２８ｍのときの広角端と望遠端における収差図である。
各実施例のズームレンズはビデオカメラやデジタルカメラそして銀塩フィルムカメラ等の撮像装置に用いられる撮像光学系である。レンズ断面図において、左方が物体側（前方）で、右方が像側（後方）である。レンズ断面図において、ｉは物体側からのレンズ群の順番を示し、Ｌｉは第ｉレンズ群である。ＬＦは１以上のレンズ群を有する前群である。ＬＲは１以上のレンズ群を有する後群である。
【００２０】
ＳＰは開口絞りである。ＩＰは像面であり、ビデオカメラやデジタルスチルカメラの撮影光学系として使用する際にはＣＣＤセンサやＣＭＯＳセンサ等の固体撮像素子（光電変換素子）の撮像面であり、銀塩フィルム用カメラのときはフィルム面である。矢印は広角端から望遠端へのズーミングにおける各レンズ群の移動軌跡を示している。またFocusで示す矢印は無限遠から近距離へのフォーカシングに際してのレンズ群の移動方向を示している。
【００２１】
収差図のうち、球面収差図において実線はｄ線（波長587.6nm）、二点鎖線はｇ線（波長435.8nm）である。非点収差図において破線はｄ線でのメリディオナル像面、実線はｄ線でのサジタル像面である。また、歪曲を示す図はｄ線における歪曲を示している。倍率色収差はｇ線について示している。ＦｎｏはＦナンバー、ωは半画角（度）である。尚、以下の各実施例において広角端と望遠端は変倍用レンズ群が機構上光軸上を移動可能な範囲の両端に位置したときのズーム位置をいう。
【００２２】
本発明のズームレンズの特徴をネガティブリード型のズームレンズを例にとり以下説明する。負の屈折力のレンズ群が先行するネガティブリード型のズームレンズにおいて、第１レンズ群でフォーカシングを行う場合、像側から第２レンズ群までの光線の入射高が変わらない。このため、第１レンズ群のレンズ構成のみ最適化することで、物体距離による光学性能の変動を比較的小さくすることができる。
【００２３】
しかしながら第１レンズ群は、広角端において軸外主光線の入射高が最も大きくなるため、全系の中で最も有効径が大きくまた重量も重い。それ故、フォーカシングを高速に行うのが難しい。これに対して第２レンズ群の全部又は一部でフォーカシングを行う方法は、第２レンズ群への軸上光線の入射高が高くなる。
【００２４】
特に望遠端において、軸上光線の入射高が高くなる。そのため、第２レンズ群より生ずる収差は、ズーミング及びフォーカシングにおいて大きく変動する。特に球面収差の変動が非常に大きくなり、全ズーム範囲及び全物体距離にわたり高い光学性能を得るのが難しくなる。また、ネガティブリード型のズームレンズは全系の小型化を図るほど射出瞳位置が像側に近くなるため、像側のレンズ群でフォーカシングを行うと、フォーカシングにより軸外主光線の入射高が著しく変化し、像面変動が非常に大きくなる。
【００２５】
これに対してフォーカシングに際して複数のレンズ群を移動させると、フォーカシングに際しての収差変動を軽減することが容易になる。
【００２６】
以上のことは、最も物体側に正レンズ群を配置した、ポジティブリード型の広画角レンズにおいても、同様のことが言える。
【００２７】
本発明では、広画角のズームレンズにおいて、２つのレンズ群を広角側と望遠側で、それぞれ異なるように移動させて全ズーム範囲及び全物体距離で良好なる光学性能を得ている。具体的には、無限遠から近距離へのフォーカシングに際して、まずは広角側と望遠側において正の屈折力のレンズ群Ｌｐを像側に駆動することで、フォーカシング効果を得ている。
【００２８】
この時、望遠側においては、軸上光線の入射高が大きく、球面収差の変動が大きくなるが、それを補正するべく、望遠側においてはレンズ群Ｌｐの像側に配置される負の屈折力のレンズ群Ｌｎを物体側に移動することで、球面収差の変動を補正している。
【００２９】
一方、広角側においては、レンズ群Ｌｐよりもレンズ群Ｌｎの方が、軸上光線の入射高が高くなり高いフォーカシング敏感度が得やすくなる。そこで広角側においては、レンズ群Ｌｎを像側に移動することで、フォーカシング効果を得ている。
また、レンズ群Ｌｐの像側への移動により生じる像面湾曲の変動についても、レンズ群Ｌｎを像側に移動することで補正している。
【００３０】
そうすることで、広角側、望遠側共に、フォーカシングによる光学性能の変動の負担が著しく軽減でき、これにより、レンズ群Ｌｐとレンズ群Ｌｎの構成レンズ枚数を少なくしている。また、それにより、各レンズ群のズーミングによる移動量を増やすことができ、ズーミングに際しての収差変動も小さくしている。
【００３１】
本発明のズームレンズはこのようにして、全系が小型かつ高性能な広画角のズームレンズを得ている。
【００３２】
次に、本発明のズームレンズを実施するにあたり、最適な構成について説明する。本発明のズームレンズは、正の屈折力のレンズ群Ｌｐと、レンズ群Ｌｐより像側に負の屈折力のレンズ群Ｌｎを有している。レンズ群Ｌｐより物体側に１以上のレンズ群を含む前群ＬＦを有する。前群ＬＦの合成焦点距離は広角端で負である。広角端から望遠端へのズーミングに際し、レンズ群Ｌｐが物体側に移動する。
【００３３】
第１ズーム位置において無限遠から近距離へのフォーカシングに際してレンズ群Ｌｎは像側へ移動する。第１ズーム位置よりも望遠側の第２ズーム位置において無限遠から近距離へのフォーカシングに際してレンズ群Ｌｐは像側へ移動し、レンズ群Ｌｎは物体側へ移動する。例えばレンズ群Ｌｐとレンズ群Ｌｎのフォーカシングに際しての移動方向は次のとおりである。
【００３４】
次の式（ａ１）で特定する第１ズーム領域内の１つのズーム位置である第１ズーム位置において遠距離から近距離へのフォーカシングに際し、レンズ群Ｌｎが像側に移動する。第１ズーム位置においてレンズ群Ｌｐは不動でも良く、また移動しても良い。また次の式（ａ２）で特定する第２ズーム領域内の１つのズーム位置である第２ズーム位置において遠距離から近距離へのフォーカシングに際し、レンズ群Ｌｐは像側へ移動し、レンズ群Ｌｎが物体側に移動する。即ち逆方向へ移動する。
【００３５】
尚、第１ズーム領域と、第２ズーム領域は、広角端における全系の焦点距離をｆｗ、望遠端における全系の焦点距離をｆｔとするとき、次の式（ａ１），式（ａ２）で特定されるズーム領域である。
【００３６】
第１ズーム領域：ｆ≦０．８×ｆｗ＋０．２×ｆｔ  ・・・（ａ１）
第２ズーム領域：ｆ＞０．２×ｆｗ＋０．８×ｆｔ  ・・・（ａ２）
第１ズーム領域においては、レンズ群Ｌｎで主にフォーカシングを行っている。第１ズーム領域と第２ズーム領域との間の第３ズーム領域においては、フォーカシングに際してレンズ群Ｌｐとレンズ群Ｌｎの移動及び移動方向に関しては設計上、任意に設定される。
【００３７】
レンズ群Ｌｐとレンズ群Ｌｎを同方向に移動すれば、レンズ群Ｌｎで発生する像面湾曲の変動を補正することが容易になる。レンズ群Ｌｎのフォーカス敏感度は減算するが、広角側でのフォーカシングに際しての移動量は元々望遠側での移動量に比べて十分に小さい。このため、移動量が多少増えても、例えばオートフォーカスの合焦速度に影響はない。但し、無限遠においては、レンズ群Ｌｐを像側に移動するスペースを確保する必要があるため、レンズ群Ｌｐの広角端から望遠端へのズーミングに際して移動を制限することになる。
【００３８】
そのため、第１ズーム領域において、レンズ群Ｌｐをフォーカシングに際して不動とするか、像側への駆動とするかは、どのズーム位置の性能を重視するかにより決定され得る。尚、本発明の各実施例では、フォーカシングに際しての像面変動を軽減するためレンズ群Ｌｐを像側に移動している。また、第２ズーム領域においては、レンズ群Ｌｐを像側に移動し、レンズ群Ｌｎを物体側に移動することで、フォーカシングによる球面収差の変動を補正している。
【００３９】
また、式（ａ１）の第１ズーム領域内の全焦点距離（全ズーム位置）において、無限遠から至近距離への合焦の際にレンズ群Ｌｎが像側に移動し、レンズ群Ｌｐが不動または像側に移動することが、より好ましい。また、式（ａ２）の第２ズーム領域内の全焦点距離において、無限遠から至近距離への合焦の際にレンズ群Ｌｐが像側に、レンズ群Ｌｎが物体側に移動することが、より好ましい。
【００４０】
次に、本発明のズームレンズを構成するにあたり、より好ましい構成について説明する。レンズ群Ｌｐの焦点距離をｆＬｐ、レンズ群Ｌｎの焦点距離をｆＬｎとする。レンズ群Ｌｐの広角端における横倍率をβｐｗ、レンズ群Ｌｎの広角端における横倍率をβｎｗとする。レンズ群Ｌｐの望遠端における横倍率をβｐｔ、レンズ群Ｌｎの望遠端における横倍率をβｎｔとする。
【００４１】
第１ズーム位置におけるレンズ群Ｌｐのフォーカシングに際しての移動量をＤＬｐｗ、第１ズーム位置におけるレンズ群Ｌｎのフォーカシングに際しての移動量をＤＬｎｗとする。但し、移動量の符号は無限遠から近距離へのフォーカシングに際して物体側から像側への移動を正とする。これは以下同じである。第２ズーム位置におけるレンズ群Ｌｐのフォーカシングに際しての移動量をＤＬｐｔ、第２ズーム位置におけるレンズ群Ｌｎのフォーカシングに際しての移動量をＤＬｎｔとする。
【００４２】
レンズ群Ｌｎより像側に１以上のレンズ群を含む後群を有する。広角端における前群の合成焦点距離をｆＦｗ、広角端における後群の合成焦点距離をｆＲｗ、広角端における全系の焦点距離をｆｗとする。このとき次の条件式のうち１以上を満足するのが良い。
【００４３】
０．３＜−ｆＬｐ／ｆＬｎ＜０．８      ・・・（１）
−３．０＜βｐｗ＜−０．５            ・・・（２）
｜βｎｗ｜＞３．０                    ・・・（３）
｜βｐｔ｜＞２．０                    ・・・（４）
−３．０＜βｎｔ＜−０．２            ・・・（５）
０．０≦ＤＬｐｗ／ＤＬｎｗ＜１．２    ・・・（６）
０．１＜−ＤＬｎｔ／ＤＬｐｔ＜１．０  ・・・（７）
１．５０＜ｆＬｐ／ｆｗ＜４．００      ・・・（８）
２．５０＜−ｆＬｎ／ｆｗ＜１０．００  ・・・（９）
０．７０＜−ｆＦｗ／ｆｗ＜２．５０  ・・・（１０）
１．５０＜ｆＲｗ／ｆｗ＜５．００    ・・・（１１）
【００４４】
次に前述の各条件式の技術的意味について説明する。条件式（１）は、レンズ群Ｌｐとレンズ群Ｌｎの屈折力比を適切にし、全系を小型化しつつ、ズーミングとフォーカシングの際の、収差変動を小さくするためのものである。条件式（１）の上限値を逸脱して、レンズ群Ｌｐの屈折力が弱くなり過ぎると、全系が大型化してしまうため、好ましくない。条件式（１）の下限値を逸脱して、レンズ群Ｌｐの屈折力が強くなり過ぎると、ズーミングとフォーカシングに際して、球面収差の変動が大きくなってしまうため、好ましくない。条件式（１）は、より好ましくは、次の数値範囲とするのが良い。
【００４５】
０．４＜−ｆＬｐ／ｆＬｎ＜０．７      ・・・（１ａ）
条件式（２），（３）は、広角端において、レンズ群Ｌｐよりもレンズ群Ｌｎにフォーカシング敏感度を大きく持たせ、レンズ群Ｌｐを収差補償のためにレンズ群Ｌｎと同方向に動かしても、フォーカシング効果を十分に得ることができるためのものである。条件式（２），（３）のいずれかが、上限値または下限値を逸脱しても、レンズ群Ｌｎでのフォーカシング効果をレンズ群Ｌｐが打ち消してしまい、フォーカシングの際の駆動量が大きくなるため好ましくない。条件式（２），（３）は、より好ましくは、次の数値範囲とするのが良い。
【００４６】
−２．０＜βｐｗ＜−０．８            ・・・（２ａ）
｜βｎｗ｜＞５．０                    ・・・（３ａ）
条件式（４）は、望遠端においてレンズ群Ｌｐで、ある程度のフォーカシング敏感度を得るためのものである。条件式（４）の下限値を逸脱すると、フォーカシングに際して球面収差の変動は小さくなるが、フォーカシング敏感度が小さくなり、フォーカシングに際しての駆動量が増えるため、全系が大型化してくる。
【００４７】
条件式（５）は、レンズ群Ｌｎのフォーカシング敏感度を適度に設定しつつ、レンズ群Ｌｐから発生する球面収差の変動の補正をするためのものである。条件式（５）の上限値又は下限値を逸脱すると、レンズ群Ｌｎのフォーカシング敏感度が大きくなり過ぎ、駆動の自由度が少なくなり、変倍に際して変動する像面変動の補償レンズ群としての機能が低下するため、好ましくない。条件式（４），（５）はより好ましくは、次の数値範囲とするのが良い。
【００４８】
｜βｐｔ｜＞３．０                    ・・・（４ａ）
−２．０＜βｎｔ＜−０．３            ・・・（５ａ）
【００４９】
条件式（６）は、レンズ群Ｌｎとレンズ群Ｌｐの合成フォーカス敏感度を十分に得つつ、フォーカシングによる像面湾曲の変動を軽減するためのものである。条件式（６）の上限値を逸脱すると、レンズ群Ｌｎとレンズ群Ｌｐの合成フォーカス敏感度が低くなり、フォーカシングに際しての駆動量が増加して全系が大型化してくる。条件式（６）の下限値を逸脱すると、レンズ群Ｌｎより発生する像面湾曲の変動をレンズ群Ｌｐで補償するのが困難になってくる。条件式（６）は、より好ましくは、次の数値範囲とするのが良い。
【００５０】
０．１≦ＤＬｐｗ／ＤＬｎｗ＜０．９    ・・・（６ａ）
条件式（７）は、第２ズーム位置において、レンズ群Ｌｐとレンズ群Ｌｎのフォーカシングに際してのフォーカシング駆動の関係を規定する。条件式（７）は、レンズ群Ｌｎとレンズ群Ｌｐのフォーカス敏感度を十分に得つつ、フォーカシングによる球面収差の変動を軽減するためのものである。条件式（７）の上限値を逸脱すると、レンズ群Ｌｐに比べてフォーカス敏感度の低いレンズ群Ｌｎの駆動量が増え過ぎ、フォーカシングに際しての駆動量が増加して全系が大型化してくる。
【００５１】
条件式（７）の下限値を逸脱すると、レンズ群Ｌｐから発生する像面湾曲の変動をレンズ群Ｌｎで補償するのが困難になる。条件式（７）は、より好ましくは、次の数値範囲とするのが良い。
【００５２】
０．２＜−ＤＬｎｔ／ＤＬｐｔ＜０．８  ・・・（７ａ）
条件式（８）乃至（１１）は、いずれもズーミングに際しての収差変動の軽減と全系の小型化を図るためのものである。条件式（８）乃至（１１）の上限値を逸脱すると、全系が大型化してくる。また条件式（８）乃至（１１）の下限値を逸脱すると、各レンズ群の屈折力が強くなり過ぎて、ズーミングに際して収差変動が大きくなってくる。条件式（８）乃至（１１）は、より好ましくは次の数値範囲とするのが良い。
【００５３】
１．８０＜ｆＬｐ／ｆｗ＜３．５０    ・・・（８ａ）
３．５０＜−ｆＬｎ／ｆｗ＜８．００  ・・・（９ａ）
０．９０＜−ｆＦｗ／ｆｗ＜２．００  ・・・（１０ａ）
２．００＜ｆＲｗ／ｆｗ＜４．００    ・・・（１１ａ）
【００５４】
各実施例において第１ズーム位置における全系の焦点距離をｆａ１、第２ズーム位置における全系の焦点距離をｆａ２とするとき、
ｆａ１≦０．８×ｆｗ＋０．２×ｆｔ
ｆａ２＞０．２×ｆｗ＋０．８×ｆｔ
を満足する。
【００５５】
次に、本発明のズームレンズは、フォーカシングの際に駆動するレンズ群が、レンズ群Ｌｐとレンズ群Ｌｎの２つとするのが良く、これによれば駆動機構の簡易化が容易になる。またレンズ群Ｌｎが、２つ以下のレンズより構成するのが良く、これによればレンズ群が軽量化され、合焦の高速化が容易になる。またレンズ群Ｌｐが、２つ以下のレンズより構成するのが良く、これによればレンズ群が軽量化され、合焦の高速化が容易になる。全ズーム範囲において前群ＬＦの合成焦点距離は負である。これにより広画角化を容易にしている。
【００５６】
本発明のズームレンズのズームタイプは例えば次のとおりである。物体側より像側へ順に、負の屈折力の第１レンズ群Ｌ１、正の屈折力の第２レンズ群Ｌ２、負の屈折力の第３レンズ群Ｌ３、正の屈折力の第４レンズ群Ｌ４から構成され、第２レンズ群Ｌ２がレンズ群Ｌｐであり、第３レンズ群Ｌ３がレンズ群Ｌｎである。
【００５７】
この他、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５から構成される。そして第３レンズ群Ｌ３がレンズ群Ｌｐであり、第４レンズ群Ｌ４がレンズ群Ｌｎである。
【００５８】
以下、各実施例におけるレンズ構成について説明する。実施例１は、物体側より像側へ順に、負の屈折力の第１レンズ群Ｌ１、正の屈折力の第２レンズ群Ｌ２、負の屈折力の第３レンズ群Ｌ３、正の屈折力の第４レンズ群Ｌ４で構成される４群ズームレンズである。広角端から望遠端へのズーミングに際し、第２レンズ群Ｌ２、第３レンズ群Ｌ３、第４レンズ群Ｌ４が物体側に移動し、第１レンズ群Ｌ１は、中間ズーム域で、広角端や望遠端よりも像側となるＵターン軌跡になっている。即ち、像側へ凸状の軌跡で移動する。
【００５９】
第２レンズ群Ｌ２がレンズ群Ｌｐに相当し、第３レンズ群Ｌ３がレンズ群Ｌｎに相当する。無限遠から至近距離へのフォーカシングに際し、レンズ群Ｌｐは第１ズーム領域と第２ズーム領域の全域で像側に移動する。レンズ群Ｌｎは第１ズーム領域全域で像側に、第２ズーム領域全域で物体側に移動する。全ズーム範囲のうち第１ズーム領域と第２ズーム領域以外の第３ズーム領域ではレンズ群Ｌｐ、レンズ群Ｌｎの移動及び移動方向は任意である。
【００６０】
それにより広角端から望遠端の全ズーム域、及び無限遠から物体距離０．２８ｍまでの全物体距離で高い光学性能を得ている。レンズ群Ｌｐとレンズ群Ｌｎのパワー比が、条件式（１）を満たしており、全系を小型化しつつ、ズーミングとフォーカシング共に、収差変動を小さくしている。また、レンズ群Ｌｐとレンズ群Ｌｎの広角端と、望遠端における横倍率βが、条件式（２），（３），（４），（５）を満たしている。それにより、全ズーム領域及び全物体距離で、収差変動を小さくしつつ、フォーカシング駆動量を小さくして全系の小型化を達成している。
【００６１】
また、広角端におけるレンズ群Ｌｐとレンズ群Ｌｎのフォーカシング移動量が条件式（６）を満たしており、広角端での像面湾曲の物体距離の変動を小さくしている。また、望遠端におけるレンズ群Ｌｐとレンズ群Ｌｎのフォーカシング移動量が条件式（７）を満たしている。それにより、レンズ群Ｌｐとレンズ群Ｌｎのフォーカシング移動量を共に小さくし、オートフォーカスの高速駆動を容易にしているだけでなく、球面収差の物体距離による変動も軽減している。
【００６２】
また、レンズ群Ｌｐとレンズ群Ｌｎは共に２枚のレンズで構成されており、それによりアクチュエーターへの負荷を軽減し、静音かつ高速駆動を容易にしている。また、レンズ群Ｌｐと、それより物体側のレンズ群（Ｌ１）（前群ＬＦ）、レンズ群Ｌｎと、それより像側のレンズ群（Ｌ４）（後群ＬＲ）が、それぞれ条件式（８），（９），（１０），（１１）を満たしている。それにより全系のズーミングによる収差変動を軽減しつつ全系の小型化を図っている。
【００６３】
実施例２，３においてレンズ群の数、ズーミングに伴う各レンズ群の移動条件等のズームタイプ及びフォーカシングに際しての各レンズ群の動作等は、実施例１と同じである。実施例４は、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５で構成される５群ズームレンズである。
【００６４】
広角端から望遠端へのズーミングに際し、第１レンズ群Ｌ１、第３レンズ群Ｌ３乃至第５レンズ群Ｌ５が物体側に移動し、第２レンズ群Ｌ２は、中間ズーム域で、広角端や望遠端よりも像側となるＵターン軌跡になっている。第３レンズ群Ｌ３がレンズ群Ｌｐに相当し、第４レンズ群Ｌ４がレンズ群Ｌｎに相当している。
【００６５】
本発明のズームレンズは実施例１乃至３のネガティブリード型だけでなく、実施例４のポジティブリード型にも同様に適用できる。実施例４におけるレンズ群Ｌｐ、レンズ群Ｌｎによる効果は実施例１と同様である。
【００６６】
以上、本発明の好ましいズームレンズの実施例について説明したが、本発明はこれらの実施例に限定されなく、その要旨の範囲内で種々の変形及び変更が可能である。
【００６７】
次に実施例１乃至４に示したズームレンズを撮像装置に適用した実施例を図１３を用いて説明する。本発明の撮像装置はズームレンズを含む交換レンズ装置と、交換レンズ装置とカメラマウント部を介して着脱可能に接続され、ズームレンズが形成する光学像を受光して、電気的な画像信号に変換する撮像素子を含むカメラ本体とを備えている。
【００６８】
図１３は一眼レフカメラの要部概略図である。図１３において、１０は実施例１乃至４のズームレンズ１を有する撮影レンズである。ズームレンズ１は保持部材である鏡筒２に保持されている。２０はカメラ本体であり、撮影レンズ１０からの光束を上方に反射するクイックリターンミラー３、撮影レンズ１０の像形成位置に配置された焦点板４より構成されている。更に、焦点板４に形成された逆像を正立像に変換するペンタダハプリズム５、その正立像を観察するための接眼レンズ６などによって構成されている。
【００６９】
７は感光面であり、ＣＣＤセンサやＣＭＯＳセンサ等のズームレンズによって形成される像を受光する固体撮像素子（光電変換素子）や銀塩フィルムが配置される。撮影時にはクイックリターンミラー３が光路から退避して、感光面７上に撮影レンズ１０によって像が形成される。実施例１乃至４にて説明した利益は、本実施例に開示したような撮像装置において効果的に享受される。また本発明のズームレンズはクイックリターンミラーのない、ミラーレスのカメラにも同様に適用することができる。またプロジェクター用の画像投射光学系に適用することもできる。
【００７０】
以下に実施例１乃至４に対応する数値実施例１乃至４を示す。各数値実施例においてｉは物体側からの面の順番を示す。数値実施例においてｒｉは物体側より順に第ｉ番目のレンズ面の曲率半径、ｄｉは物体側より順に第ｉ番目のレンズ厚及び空気間隔、ｎｄｉとνｄｉは各々物体側より順に第ｉ番目のレンズの材料の屈折率とアッベ数である。ＢＦはバックフォーカスである。
【００７１】
また、焦点距離、Ｆナンバー等のスペックに加え、像高は半画角を決定する最大像高、レンズ全長は第１レンズ面から像面までの距離である。バックフォーカスＢＦは最終レンズ面から像面までの長さを示している。また、各レンズ群データは、各レンズ群の焦点距離、光軸上の長さ（レンズ構成長）、前側主点位置、後側主点位置を表している。また、各光学面の間隔ｄが（可変）となっている部分は、ズーミングに際して変化するものであり、別表に焦点距離に応じた面間隔を記している。非球面形状は、光軸に垂直な方向にＲ離れた位置での、光軸方向の面位置をＳａｇ（Ｒ）としたとき、
【００７２】
【数１】
2015197593.tif 000003
【００７３】
の関係を満足する形状であり、各非球面の非球面係数を各表に記す。また、各光学面の有効径が（可変）となっている部分は、ズーミングに際して変化するものであり、別表に焦点距離に応じた有効径を面番号eaiとして記している。尚、以下に記載する数値実施例１乃至４のレンズデータに基づく、各条件式の計算結果を表１に示す。
【００７４】
（数値実施例１）
単位 mm
面データ
面番号       r        d      nd         νd       有効径
1*         ∞       2.80   1.77250    49.6       53.32
2*        21.059    9.38                         39.26
3*        96.241    2.50   1.85135    40.1       38.70
4*        52.918    5.38                         32.56
5        -79.038    1.65   1.77250    49.6       32.46
6         62.488    0.15                         32.09
7         39.659    8.00   1.85478    24.8       32.56
8        -53.120    1.60   1.80809    22.8       32.04
9         57.610    1.02                         30.33
10         66.115    4.29   1.78472    25.7       30.28
11       -190.786  (可変)                         29.81
12          ∞     (可変)                         (可変)
13         37.610    1.45   2.00100    29.1       28.07
14         19.696    8.96   1.77250    49.6       27.27
15        -96.698  (可変)                         27.38
16(絞り)    ∞     (可変)                         25.05
17        -57.672    1.20   1.83400    37.2       24.07
18         32.004    4.04   1.84666    23.8       24.63
19      -1024.351  (可変)                         24.79
20          ∞     (可変)                         (可変)
21         23.655    8.54   1.43875    94.9       26.26
22        -41.410    0.15                         26.43
23*       139.298    1.80   1.85400    40.4       25.93
24         19.116    9.25   1.49700    81.5       25.52
25        -85.368                                 26.80
【００７５】
非球面データ
第1面
K = 0.00000e+000  A 4= 2.76615e-005  A 6=-5.96795e-008  A 8= 8.61814e-011  A10=-7.14028e-014  A12= 3.16309e-017  
第2面
K =-6.08504e-001  A 4= 9.34901e-006  A 6= 1.09006e-008  A 8=-7.02459e-011  A10=-7.34466e-013  A12= 1.50058e-015  
第3面
K = 0.00000e+000  A 4=-3.32091e-005  A 6= 5.92819e-008  A 8=-7.57591e-012  A10=-3.00165e-014  
第4面
K = 1.09844e+000  A 4=-1.37506e-005  A 6= 5.53268e-008  A 8= 1.10142e-010  A10= 2.17466e-013  A12=-1.09413e-016  
第23面
K = 0.00000e+000  A 4=-1.20323e-005  A 6=-9.76527e-011  A 8=-1.38295e-010  A10= 5.30718e-013  A12=-1.00957e-015  
【００７６】
各種データ
ズーム比     2.06 
広角     中間     望遠
焦点距離      16.48    23.60    33.95  
Fナンバー      2.90     2.90     2.90  
半画角（度）  52.70    42.51    32.51  
像高          21.64    21.64    21.64  
レンズ全長   158.16   152.35   155.13  
BF            38.00    45.31    58.31  
d11           15.84     9.07     1.00  
d12           10.74     2.33     0.00  
d15            4.00    12.42    14.74  
d16            2.50     2.87     7.92  
d19            8.42     8.05     3.00  
d20            6.50     0.15    -2.00  
ea12          21.60    20.76    26.71
ea20          17.30    20.10    25.33
【００７７】
ズームレンズ群データ
群  始面    焦点距離  レンズ構成長  前側主点位置  後側主点位置
1    1     -25.03        36.77         1.15        -28.43
2   12       ∞           0.00         0.00         -0.00
3   13      44.53        10.41         1.70         -4.29
4   16       ∞           0.00         0.00         -0.00
5   17     -75.75         5.24        -0.20         -3.05
6   20       ∞           0.00         0.00         -0.00
7   21      45.85        19.74         2.19        -11.68
【００７８】
（数値実施例２）
単位 mm
面データ
面番号       r        d      nd         νd       有効径
1*         ∞       2.80   1.77250    49.6       50.16
2*        25.165    8.10                         39.15
3*        54.316    2.50   1.85135    40.1       36.62
4*        30.201   13.01                         29.70
5       -109.175    1.65   1.77250    49.6       23.46
6         29.164    0.52                         22.21
7         28.996    6.11   1.85478    24.8       22.79
8        -30.539    1.60   1.80809    22.8       22.79
9        189.958    0.55                         23.25
10       -336.413    1.94   1.78472    25.7       23.25
11       -162.622  (可変)                         23.84
12          ∞     (可変)                         (可変)
13         29.625    1.45   2.00100    29.1       21.40
14         15.790    7.07   1.77250    49.6       20.82
15        -83.679  (可変)                         20.89
16(絞り)    ∞     (可変)                         18.99
17        -48.181    1.20   1.83400    37.2       18.36
18         34.198    2.95   1.84666    23.8       18.68
19       -299.149  (可変)                         19.00
20          ∞     (可変)                         (可変)
21         21.548    7.68   1.43875    94.9       22.23
22        -29.701    0.17                         22.47
23*      3219.871    1.80   1.85400    40.4       22.01
24         18.891    6.59   1.49700    81.5       22.10
25       -154.636                                 23.12
【００７９】
非球面データ
第1面
K = 0.00000e+000  A 4= 3.62294e-005  A 6=-6.85134e-008  A 8= 8.57765e-011  A10=-5.88630e-014  A12= 2.49028e-017  
第2面
K =-3.57439e-001  A 4= 1.60329e-005  A 6= 3.48480e-008  A 8=-1.17970e-010  A10=-7.46775e-013  A12= 1.34123e-015  
第3面
K = 0.00000e+000  A 4=-3.69161e-005  A 6= 5.09934e-008  A 8=-2.38432e-011  A10= 2.21018e-014  
第4面
K = 1.96159e+000  A 4=-2.30345e-005  A 6=-4.71465e-009  A 8= 1.65301e-010  A10= 6.77252e-014  A12= 5.77216e-016  
第23面
K = 0.00000e+000  A 4=-2.08913e-005  A 6=-9.74997e-009  A 8=-4.25856e-010  A10= 2.82264e-012  A12=-7.93916e-015  
【００８０】
各種データ
ズーム比     2.09 
広角     中間     望遠
焦点距離      16.48    23.60    34.51  
Fナンバー      4.10     4.10     4.10  
半画角（度）  52.70    42.51    32.08  
像高          21.64    21.64    21.64  
レンズ全長   144.00   142.35   150.39  
BF            38.00    47.76    63.65  
d11           11.76     5.90     1.00  
d12            7.94     2.63     0.00  
d15            4.00     9.30    11.94  
d16            2.50     2.50     5.11  
d19            5.61     5.61     3.00  
d20            6.50     0.96    -2.00  
ea12          11.84    15.27    20.49
ea20          14.41    17.37    22.66
【００８１】
ズームレンズ群データ
群  始面    焦点距離  レンズ構成長  前側主点位置  後側主点位置
1    1     -18.98        38.78         5.35        -24.75
2   12       ∞           0.00         0.00         -0.00
3   13      35.77         8.52         1.20         -3.68
4   16       ∞           0.00         0.00         -0.00
5   17     -71.45         4.15        -0.47         -2.74
6   20       ∞           0.00         0.00         -0.00
7   21      49.66        16.23        -0.25        -11.16
【００８２】
（数値実施例３）
単位 mm
面データ
面番号       r        d      nd         νd       有効径
1*         ∞       2.80   1.77250    49.6       55.30
2*        21.077    8.19                         41.18
3*        51.580    2.50   1.85135    40.1       40.70
4*        41.368    5.96                         34.67
5        -93.331    1.70   1.77250    49.6       34.55
6         32.677    8.29   1.69895    30.1       33.18
7        -82.039    0.15                         32.90
8        -79.439    1.60   1.80809    22.8       32.85
9         69.257    0.15                         32.36
10         50.910    5.51   1.85478    24.8       32.57
11       -125.535  (可変)                         32.22
12          ∞     (可変)                         (可変)
13         39.614    1.50   2.00100    29.1       27.95
14         20.601    8.46   1.77250    49.6       27.26
15       -115.972  (可変)                         27.35
16(絞り)    ∞       2.50                         24.83
17        -65.765    1.20   1.83400    37.2       24.67
18         34.565    3.96   1.84666    23.8       25.18
19       -900.265  (可変)                         25.33
20          ∞     (可変)                         (可変)
21         22.662   10.27   1.43875    94.9       27.22
22        -44.647    0.15                         26.88
23*       123.096    1.80   1.85400    40.4       26.04
24         18.275    9.32   1.49700    81.5       25.36
25       -106.518                                 26.60
【００８３】
非球面データ
第1面
K = 0.00000e+000  A 4= 1.94672e-005  A 6=-3.46698e-008  A 8= 4.15678e-011  A10=-2.73544e-014  A12= 9.90183e-018  
第2面
K =-6.59006e-001  A 4= 4.00733e-007  A 6= 1.49583e-009  A 8= 6.24651e-011  A10=-8.32596e-013  A12= 1.27080e-015  
第3面
K = 0.00000e+000  A 4=-3.29448e-005  A 6= 3.03288e-008  A 8= 2.98388e-011  A10=-2.72836e-014  
第4面
K =-3.90494e+000  A 4=-9.99213e-006  A 6= 3.65799e-008  A 8=-3.03851e-011  A10= 6.88577e-013  A12=-8.74357e-016  
第23面
K = 0.00000e+000  A 4=-1.24403e-005  A 6= 3.26448e-009  A 8=-2.41595e-010  A10= 1.12183e-012  A12=-2.26589e-015  
【００８４】
各種データ
ズーム比     2.06 
広角     中間     望遠
焦点距離      16.48    23.60    33.95  
Fナンバー      2.90     2.90     2.90  
半画角（度）  52.70    42.51    32.51  
像高          21.64    21.64    21.64  
レンズ全長   161.87   155.25   155.40  
BF            38.00    44.41    57.43  
d11           24.21     9.57     0.00  
d12            4.00     3.00     1.00  
d15            1.50    12.96    19.95  
d19           11.14     8.28     2.50  
d20            7.00     1.00    -1.50  
ea12          17.50    20.76    26.34
ea20          17.95    20.45    25.76
【００８５】
ズームレンズ群データ
群  始面    焦点距離  レンズ構成長  前側主点位置  後側主点位置
1    1     -26.77        36.85         0.20        -30.61
2   12       ∞           0.00         0.00         -0.00
3   13      48.87         9.96         1.40         -4.28
4   16     -88.19         7.66         2.25         -3.06
5   20       ∞           0.00         0.00         -0.00
6   21      47.61        21.54         1.42        -13.58
【００８６】
（数値実施例４）
単位 mm
面データ
面番号       r        d      nd         νd       有効径
1         99.412    4.29   1.48749    70.2       55.68
2        306.022  (可変)                         53.52
3*         ∞       2.80   1.77250    49.6       45.14
4*        22.030    5.74                         33.92
5*        49.619    2.50   1.85135    40.1       33.42
6*        27.377    7.93                         28.19
7        -48.894    1.65   1.83400    37.2       27.23
8       -282.058    0.15                         27.28
9        121.293    2.82   1.85478    24.8       27.24
10       -360.481    0.50                         27.06
11       -164.204    1.60   1.49700    81.5       27.01
12         25.459    6.54   1.61340    44.3       26.34
13       -108.288  (可変)                         25.94
14         36.284    1.45   2.00100    29.1       23.77
15         18.806    6.94   1.77250    49.6       22.72
16*      -102.681  (可変)                         22.62
17(絞り)    ∞     (可変)                         21.09
18        -73.296    1.20   1.83400    37.2       21.14
19         31.835    3.31   1.84666    23.8       21.44
20       1421.200  (可変)                         21.59
21         22.919    8.93   1.43875    94.9       25.10
22        -39.831    0.80                         25.19
23*       180.502    1.80   1.85400    40.4       24.43
24         19.161    7.08   1.49700    81.5       24.00
25       -308.852                                 24.82
【００８７】
非球面データ
第3面
K = 0.00000e+000  A 4= 2.65010e-005  A 6=-6.12679e-008  A 8= 9.25737e-011  A10=-7.20070e-014  A12= 2.32701e-017  
第4面
K =-6.07409e-001  A 4= 1.04548e-005  A 6= 1.26526e-008  A 8=-1.46916e-010  A10=-7.15214e-013  A12= 1.62205e-015  
第5面
K = 0.00000e+000  A 4=-3.66238e-005  A 6= 5.69195e-008  A 8=-2.99343e-011  A10=-6.07436e-015  
第6面
K =-3.59648e-001  A 4=-1.48481e-005  A 6= 5.32691e-008  A 8= 1.76146e-010  A10= 3.32879e-013  A12= 2.00467e-016  
第16面
K = 0.00000e+000  A 4= 3.85148e-007  A 6=-1.92465e-009  A 8=-2.80537e-012  
第23面
K = 0.00000e+000  A 4=-1.35230e-005  A 6=-1.80732e-008  A 8=-3.53819e-011  
【００８８】
各種データ
ズーム比      2.25 
広角     中間     望遠
焦点距離      20.00    23.60    45.00  
Fナンバー      2.75     2.90     4.16  
半画角（度）   47.25    42.51    25.68  
像高          21.64    21.64    21.64  
レンズ全長   158.28   156.32   173.36  
BF            42.05    46.10    73.14  
d 2            0.80     1.68    12.83  
d13           25.50    18.60     1.00  
d16            4.00     6.94    12.07  
d17            2.50     2.50     2.50  
d20           15.40    12.47     3.80  
【００８９】
ズームレンズ群データ
群  始面    焦点距離  レンズ構成長  前側主点位置  後側主点位置
1    1     300.01         4.29        -1.38         -4.24
2    3     -22.96        32.23         1.32        -26.17
3   14      44.26         8.39         1.17         -3.60
4   17       ∞           0.00         0.00         -0.00
5   18     -86.28         4.51         0.10         -2.34
6   21      53.44        18.60        -1.28        -13.71
【００９０】
【表１】
2015197593.tif 000004
【符号の説明】
【００９１】
Ｌ１  第１レンズ群      Ｌ２  第２レンズ群      Ｌ３  第３レンズ群
Ｌ４  第４レンズ群      Ｌ５  第５レンズ群      Ｌｐ  レンズ群Ｌｐ
Ｌｎ  レンズ群Ｌｎ
【図１】
2015197593.tif 000005
【図２】
2015197593.tif 000006
【図３】
2015197593.tif 000007
【図４】
2015197593.tif 000008
【図５】
2015197593.tif 000009
【図６】
2015197593.tif 000010
【図７】
2015197593.tif 000011
【図８】
2015197593.tif 000012
【図９】
2015197593.tif 000013
【図１０】
2015197593.tif 000014
【図１１】
2015197593.tif 000015
【図１２】
2015197593.tif 000016
【図１３】
2015197593.tif 000017